(57)【特許請求の範囲】
【請求項１】
セルにおける無線品質が開始条件を満たす状態で監視期間が経過したことを検出した場合に、該セルにおける無線品質を含む測定報告の送信を開始し、停止条件が満たされるまで報告間隔で該測定報告の繰り返し送信を行うように構成されている移動局であって、
第１セルにおける無線品質を含む第１測定報告の送信を開始した後に、第２セルにおける無線品質を含む第２測定報告の送信を開始した場合、該第１測定報告の繰り返し送信及び該第２測定報告の繰り返し送信を同じタイミングで行うように構成されていることを特徴とする移動局。
【請求項２】
前記第２セルにおける無線品質が開始条件を満たす状態で監視期間が経過したことを検知していない場合には、前記第１測定報告の繰り返し送信が行われるタイミングが到来した場合であっても、前記第２測定報告の送信を開始しないように構成されていることを特徴とする請求項１に記載の移動局。
【請求項３】
前記第１測定報告の繰り返し送信のタイミングを、前記第２測定報告の送信開始タイミングに合わせるように構成されていることを特徴とする請求項１に記載の移動局。
【請求項４】
前記第２測定報告の開始タイミングに第１測定報告の開始タイミングを合わせるように構成されていることを特徴とする請求項３に記載の移動局。
【請求項５】
前記報告間隔として、最大報告間隔及び最小報告間隔を管理するように構成されており、
前記最大報告間隔によって決定される前記第１測定報告の繰り返し送信が行われるタイミングと前記最小報告間隔によって決定される該第１測定報告の繰り返し送信が行われるタイミングとの間の期間が、該最大報告間隔によって決定される前記第２測定報告の繰り返し送信が行われるタイミングと該最小報告間隔によって決定される該第２測定報告の繰り返し送信が行われるタイミングとの間の期間と、少なくとも一部で重なる場合に、該第１測定報告の繰り返し送信及び該第２測定報告の繰り返し送信を同じタイミングで行うように構成されていることを特徴とする請求項１に記載の移動局。
【請求項６】
前記報告間隔として、最大報告間隔及び最小報告間隔を管理するように構成されており、
前記最大報告間隔によって決定される前記第１測定報告の繰り返し送信が行われるタイミングと前記最小報告間隔によって決定される該第１測定報告の繰り返し送信が行われるタイミングとの間の期間が、該最大報告間隔によって決定される前記第２測定報告の繰り返し送信が行われるタイミングと該最小報告間隔によって決定される該第２測定報告の繰り返し送信が行われるタイミングとの間の期間と、少なくとも一部で重ならない場合に、該第１測定報告の繰り返し送信及び該第２測定報告の繰り返し送信を同じタイミングで行わないように構成されていることを特徴とする請求項１に記載の移動局。
【請求項７】
前記報告間隔として、最大報告間隔及び最小報告間隔を管理するように構成されており、
前記最大報告間隔によって決定される前記第１測定報告の繰り返し送信が行われるタイミングと前記最小報告間隔によって決定される該第１測定報告の繰り返し送信が行われるタイミングとの間の期間内で、前記第２測定報告の送信が開始される場合、該第１測定報告の繰り返し送信のタイミングを決定するために用いられる報告間隔の起点を、該第２測定報告の送信が開始されるタイミングに合わせるように構成されていることを特徴とする請求項１に記載の移動局。
【発明の詳細な説明】
【技術分野】
【０００１】
本発明は、セルにおける無線品質が開始条件を満たす状態で監視期間が経過したことを検出した場合に、該セルにおける無線品質を含む測定報告の送信を開始し、停止条件が満たされるまで報告間隔で該測定報告の繰り返し送信を行うように構成されている移動局に関する。
【背景技術】
【０００２】
３ＧＰＰによって規定されている「ＬＴＥ（Ｌｏｎｇ  Ｔｅｒｍ  Ｅｖｏｌｕｔｉｏｎ）」方式の移動通信システムにおいて、移動局ＵＥが「Ｍｅａｓｕｒｅｍｅｎｔ  Ｒｅｐｏｒｔ」を送信する方法として、「Ｅｖｅｎｔ  Ｔｒｉｇｇｅｒｅｄ  Ｐｅｒｉｏｄｉｃａｌ  Ｒｅｐｏｒｔｉｎｇ」方式が知られている。
【０００３】
かかる「Ｅｖｅｎｔ  Ｔｒｉｇｇｅｒｅｄ  Ｐｅｒｉｏｄｉｃａｌ  Ｒｅｐｏｒｔｉｎｇ」方式が適用されている場合、移動局ＵＥは、無線基地局ｅＮＢによって指定されているセルにおける「ＲＳＲＰ：Ｒｅｆｅｒｅｎｃｅ  Ｓｉｇｎａｌ  Ｒｅｃｅｉｖｅｄ  Ｐｏｗｅｒ（無線品質）」が開始条件を満たす状態で「Ｔｉｍｅ  ｔｏ  Ｔｒｉｇｇｅｒ（監視期間）」が経過したことを検出した場合に、かかるセルにおける「ＲＳＲＰ（無線品質）」を含む「Ｍｅａｓｕｒｅｍｅｎｔ  Ｒｅｐｏｒｔ（測定報告）」の送信を開始し、停止条件が満たされるまで「Ｒｅｐｏｒｔｉｎｇ  Ｉｎｔｅｒｖａｌ（報告間隔）」で「Ｍｅａｓｕｒｅｍｅｎｔ  Ｒｅｐｏｒｔ（測定報告）」の繰り返し送信を行うように構成されている。
【０００４】
具体的には、図１０に示すように、移動局ＵＥは、ｔ１において、セルＡにおける「ＲＳＲＰ（無線品質）」が開始条件を満たすこと検出し、ｔ３において、セルＡにおける「ＲＳＲＰ（無線品質）」が開始条件を満たす状態のまま「Ｔｉｍｅ  ｔｏ  Ｔｒｉｇｇｅｒ（監視期間）」が満了したことを検出したため、セルＡにおける「ＲＳＲＰ（無線品質）」を含む「Ｍｅａｓｕｒｅｍｅｎｔ  Ｒｅｐｏｒｔ（測定報告）」の送信を開始する。
【０００５】
その後、移動局ＵＥは、停止条件が満たされるまで、「Ｒｅｐｏｒｔｉｎｇ  Ｉｎｔｅｒｖａｌ（報告間隔）」で、例えば、ｔ５及びｔ７において、「Ｍｅａｓｕｒｅｍｅｎｔ  Ｒｅｐｏｒｔ（測定報告）」の繰り返し送信を行う。
【０００６】
同様に、移動局ＵＥは、ｔ２において、セルＢにおける「ＲＳＲＰ（無線品質）」が開始条件を満たすこと検出し、ｔ４において、セルＢにおける「ＲＳＲＰ（無線品質）」が開始条件を満たす状態のまま「Ｔｉｍｅ  ｔｏ  Ｔｒｉｇｇｅｒ（監視期間）」が満了したことを検出したため、セルＢにおける「ＲＳＲＰ（無線品質）」を含む「Ｍｅａｓｕｒｅｍｅｎｔ  Ｒｅｐｏｒｔ（測定報告）」の送信を開始する。
【０００７】
その後、移動局ＵＥは、停止条件が満たされるまで、「Ｒｅｐｏｒｔｉｎｇ  Ｉｎｔｅｒｖａｌ（報告間隔）」で、例えば、ｔ６及びｔ８において、「Ｍｅａｓｕｒｅｍｅｎｔ  Ｒｅｐｏｒｔ（測定報告）」の繰り返し送信を行う。
【非特許文献１】３ＧＰＰ  ＴＳ３６．３３１  ｖ８．１．０，２００８年３月２０日
【非特許文献２】３ＧＰＰ  ＴＳ２５．３３１  ｖ７．８．０，２００８年３月２８日
【発明の開示】
【発明が解決しようとする課題】
【０００８】
しかしながら、従来の「Ｅｖｅｎｔ  Ｔｒｉｇｇｅｒｅｄ  Ｐｅｒｉｏｄｉｃａｌ  Ｒｅｐｏｒｔｉｎｇ」方式のような「Ｍｅａｓｕｒｅｍｅｎｔ  Ｒｅｐｏｒｔ（測定報告）」を繰り返し送信する方法では、移動局ＵＥにおける測定対象のセル数が増加するにつれて、「Ｍｅａｓｕｒｅｍｅｎｔ  Ｒｅｐｏｒｔ（測定報告）」の送信回数が増加し、無線リソースの浪費に繋がる可能性があるという問題点があった。
【０００９】
そこで、本発明は、上述の課題に鑑みてなされたものであり、無線リソースを効率的に利用して、「Ｅｖｅｎｔ  Ｔｒｉｇｇｅｒｅｄ  Ｐｅｒｉｏｄｉｃａｌ  Ｒｅｐｏｒｔｉｎｇ」方式のような「Ｍｅａｓｕｒｅｍｅｎｔ  Ｒｅｐｏｒｔ（測定報告）」を繰り返し送信する方法を実現することができる移動局を提供することを目的とする。
【課題を解決するための手段】
【００１０】
本発明の第１の特徴は、セルにおける無線品質が開始条件を満たす状態で監視期間が経過したことを検出した場合に、該セルにおける無線品質を含む測定報告の送信を開始し、停止条件が満たされるまで報告間隔で該測定報告の繰り返し送信を行うように構成されている移動局であって、第１セルにおける無線品質を含む第１測定報告の送信を開始した後に、第２セルにおける無線品質を含む第２測定報告の送信を開始した場合、該第１測定報告の繰り返し送信及び該第２測定報告の繰り返し送信を同じタイミングで行うように構成されていることを要旨とする。
【００１１】
本発明の第１の特徴において、前記第２セルにおける無線品質が開始条件を満たす状態で監視期間が経過したことを検知していない場合には、前記第１測定報告の繰り返し送信が行われるタイミングが到来した場合であっても、前記第２測定報告の送信を開始しないように構成されていてもよい。
【００１２】
本発明の第１の特徴において、前記第１測定報告の繰り返し送信のタイミングを決定するために用いられる報告間隔の起点を、前記第２測定報告の送信が開始されるタイミングに合わせるように構成されていてもよい。
【００１３】
本発明の第１の特徴において、前記報告間隔として、最大報告間隔及び最小報告間隔を管理するように構成されており、前記最大報告間隔によって決定される前記第１測定報告の繰り返し送信が行われるタイミングと前記最小報告間隔によって決定される該第１測定報告の繰り返し送信が行われるタイミングとの間の期間が、該最大報告間隔によって決定される前記第２測定報告の繰り返し送信が行われるタイミングと該最小報告間隔によって決定される該第２測定報告の繰り返し送信が行われるタイミングとの間の期間と、少なくとも一部で重なる場合に、該第１測定報告の繰り返し送信及び該第２測定報告の繰り返し送信を同じタイミングで行うように構成されていてもよい。
【００１４】
本発明の第１の特徴において、前記報告間隔として、最大報告間隔及び最小報告間隔を管理するように構成されており、前記最大報告間隔によって決定される前記第１測定報告の繰り返し送信が行われるタイミングと前記最小報告間隔によって決定される該第１測定報告の繰り返し送信が行われるタイミングとの間の期間が、該最大報告間隔によって決定される前記第２測定報告の繰り返し送信が行われるタイミングと該最小報告間隔によって決定される該第２測定報告の繰り返し送信が行われるタイミングとの間の期間と、少なくとも一部で重ならない場合に、該第１測定報告の繰り返し送信及び該第２測定報告の繰り返し送信を同じタイミングで行わないように構成されていてもよい。
【００１５】
本発明の第１の特徴において、前記報告間隔として、最大報告間隔及び最小報告間隔を管理するように構成されており、前記最大報告間隔によって決定される前記第１測定報告の繰り返し送信が行われるタイミングと前記最小報告間隔によって決定される該第１測定報告の繰り返し送信が行われるタイミングとの間の期間内で、前記第２測定報告の送信が開始される場合、該第１測定報告の繰り返し送信のタイミングを決定するために用いられる報告間隔の起点を、該第２測定報告の送信が開始されるタイミングに合わせるように構成されていてもよい。
【発明の効果】
【００１６】
以上説明したように、本発明によれば、無線リソースを効率的に利用して、「Ｅｖｅｎｔ  Ｔｒｉｇｇｅｒｅｄ  Ｐｅｒｉｏｄｉｃａｌ  Ｒｅｐｏｒｔｉｎｇ」方式のような「Ｍｅａｓｕｒｅｍｅｎｔ  Ｒｅｐｏｒｔ（測定報告）」を繰り返し送信する方法を実現することができる移動局を提供することができる。
【００１７】
移動局ＵＥは、「Ｍｅａｓｕｒｅｍｅｎｔ  Ｒｅｐｏｒｔ（測定報告）」を送信するには、無線基地局ｅＮＢから上り送信リソースの割り当てを受ける必要があるため、無線基地局ｅＮＢに対して、「Ｓｃｈｅｄｕｌｉｎｇ  Ｒｅｑｕｅｓｔ（割当要求）」を送信する必要がある。
【００１８】
また、無線基地局ｅＮＢは、異なるタイミングで上り送信リソースを割り当てる度に、リソースを指定するシグナリングである「ＰＤＣＣＨ」を送信する必要がある。
【００１９】
したがって、本発明によれば、「Ｍｅａｓｕｒｅｍｅｎｔ  Ｒｅｐｏｒｔ（測定報告）」の繰り返し送信をまとめることで、上述の「Ｓｃｈｅｄｕｌｉｎｇ  Ｒｅｑｕｅｓｔ（割当要求）」や「ＰＤＣＣＨ」のオーバヘッドを削減することができる。
【発明を実施するための最良の形態】
【００２０】
（本発明の第１の実施形態に係る移動通信システム）
図１乃至図９を参照して、本発明の第１の実施形態に係る移動通信システムの構成について説明する。以下、本実施形態では、ＬＴＥ方式が適用されている移動通信システムについて説明するが、本発明は、これに限定されるものではなく、その他の方式が適用されている移動通信システムにも適用可能である。
【００２１】
また、本実施形態では、移動局ＵＥが「Ｍｅａｓｕｒｅｍｅｎｔ  Ｒｅｐｏｒｔ」を送信する方法として、上述の「Ｅｖｅｎｔ  Ｔｒｉｇｇｅｒｅｄ  Ｐｅｒｉｏｄｉｃａｌ  Ｒｅｐｏｒｔｉｎｇ」方式が用いられているものとする。
【００２２】
図１に示すように、本実施形態に係る移動通信システムにおいて、無線基地局ｅＮＢは、移動局ＵＥに対して、「ＲＲＣ  Ｃｏｎｎｅｃｔｉｏｎ  Ｒｅｃｏｎｆｉｇｕｒａｔｉｏｎ」を用いて、「Ｍｅａｓｕｒｅｍｅｎｔ  Ｃｏｎｆｉｇｕｒａｔｉｏｎ」を送信するように構成されている。
【００２３】
具体的には、無線基地局ｅＮＢは、図２に示すように、「Ｍｅａｓｕｒｅｍｅｎｔ  Ｃｏｎｆｉｇｕｒａｔｉｏｎ」を用いて、「Ｍｅａｓｕｒｅｍｅｎｔ  ＩＤ」や、「Ｍｅａｓｕｒｅｍｅｎｔ  Ｏｂｊｅｃｔ」や、「Ｒｅｐｏｒｔｉｎｇ  Ｃｏｎｆｉｇｕｒａｔｉｏｎ」を送信するように構成されている。
【００２４】
ここで、「Ｍｅａｓｕｒｅｍｅｎｔ  Ｏｂｊｅｃｔ」は、測定対象のセルを指定する情報（例えば、ＲＡＴ情報や周波数情報や周辺セル情報等）である。
【００２５】
また、「Ｒｅｐｏｒｔｉｎｇ  Ｃｏｎｆｉｇｕｒａｔｉｏｎ」は、「Ｍｅａｓｕｒｅｍｅｎｔ  Ｒｅｐｏｒｔ（測定報告）」の送信方法を指定する情報である。例えば、「Ｒｅｐｏｒｔｉｎｇ  Ｃｏｎｆｉｇｕｒａｔｉｏｎ」には、「Ｅｖｅｎｔ（開始条件）」や、「Ｔｉｍｅ  ｔｏ  Ｔｒｉｇｇｅｒ（監視期間）」や、「Ｒｅｐｏｒｔｉｎｇ  Ｉｎｔｅｒｖａｌ（報告間隔）」や、各種パラメータ等が含まれている。
【００２６】
また、「Ｍｅａｓｕｒｅｍｅｎｔ  ＩＤ」は、「Ｍｅａｓｕｒｅｍｅｎｔ  Ｏｂｊｅｃｔ」と「Ｒｅｐｏｒｔｉｎｇ  Ｃｏｎｆｉｇｕｒａｔｉｏｎ」とを関連付ける情報である。
【００２７】
移動局ＵＥは、無線基地局ｅＮＢによって送信された「Ｍｅａｓｕｒｅｍｅｎｔ  Ｃｏｎｆｉｇｕｒａｔｉｏｎ」に基づいて、特定のセルにおける無線品質（例えば、ＲＳＲＰ）を測定し、かかる測定結果を含む「Ｍｅａｓｕｒｅｍｅｎｔ  Ｒｅｐｏｒｔ（測定報告）」を送信するように構成されている。
【００２８】
具体的には、図３に示すように、移動局ＵＥは、Ｍｅａｓｕｒｅｍｅｎｔ  Ｃｏｎｆｉｇｕｒａｔｉｏｎ受信部１１と、測定部１２と、Ｍｅａｓｕｒｅｍｅｎｔ  Ｒｅｐｏｒｔ送信部１３とを具備している。
【００２９】
Ｍｅａｓｕｒｅｍｅｎｔ  Ｃｏｎｆｉｇｕｒａｔｉｏｎ受信部１１は、無線基地局ｅＮＢによって送信された「Ｍｅａｓｕｒｅｍｅｎｔ  Ｃｏｎｆｉｇｕｒａｔｉｏｎ」を受信するように構成されている。
【００３０】
なお、Ｍｅａｓｕｒｅｍｅｎｔ  Ｃｏｎｆｉｇｕｒａｔｉｏｎ受信部１１は、受信した「Ｍｅａｓｕｒｅｍｅｎｔ  Ｃｏｎｆｉｇｕｒａｔｉｏｎ」に基づいて、「Ｍｅａｓｕｒｅｍｅｎｔ  ＩＤ」と、「Ｍｅａｓｕｒｅｍｅｎｔ  Ｏｂｊｅｃｔ」と、「Ｒｅｐｏｒｔｉｎｇ  Ｃｏｎｆｉｇｕｒａｔｉｏｎ」とを管理するように構成されている。
【００３１】
測定部１２は、Ｍｅａｓｕｒｅｍｅｎｔ  Ｃｏｎｆｉｇｕｒａｔｉｏｎ受信部１１によって管理されている「Ｍｅａｓｕｒｅｍｅｎｔ  ＩＤ」に関連付けられている「Ｍｅａｓｕｒｅｍｅｎｔ  Ｏｂｊｅｃｔ」を抽出する。
【００３２】
また、測定部１２は、抽出した「Ｍｅａｓｕｒｅｍｅｎｔ  Ｏｂｊｅｃｔ」によって指定されているセルにおける無線品質を測定するように構成されている。
【００３３】
Ｍｅａｓｕｒｅｍｅｎｔ  Ｒｅｐｏｒｔ送信部１３は、「Ｅｖｅｎｔ  Ｔｒｉｇｇｅｒｅｄ  Ｐｅｒｉｏｄｉｃａｌ  Ｒｅｐｏｒｔｉｎｇ」方式に従って、「Ｍｅａｓｕｒｅｍｅｎｔ  Ｒｅｐｏｒｔ（測定報告）」を送信するように構成されている。
【００３４】
すなわち、Ｍｅａｓｕｒｅｍｅｎｔ  Ｒｅｐｏｒｔ送信部１３は、測定部１２によって測定された測定対象のセルにおける無線品質（例えば、ＲＳＲＰ）が「Ｅｖｅｎｔ（開始条件）」を満たす状態で「Ｔｉｍｅ  ｔｏ  Ｔｒｉｇｇｅｒ（監視期間）」が経過したことを検出した場合に、かかるセルにおける無線品質を含む「Ｍｅａｓｕｒｅｍｅｎｔ  Ｒｅｐｏｒｔ（測定報告）」の送信を開始し、停止条件（例えば、所定回数の送信等）が満たされるまで「Ｒｅｐｏｒｔｉｎｇ  Ｉｎｔｅｒｖａｌ（報告間隔）」で「Ｍｅａｓｕｒｅｍｅｎｔ  Ｒｅｐｏｒｔ（測定報告）」の繰り返し送信を行うように構成されている。
【００３５】
具体的には、Ｍｅａｓｕｒｅｍｅｎｔ  Ｒｅｐｏｒｔ送信部１３は、Ｍｅａｓｕｒｅｍｅｎｔ  Ｃｏｎｆｉｇｕｒａｔｉｏｎ受信部１１によって管理されている「Ｍｅａｓｕｒｅｍｅｎｔ  ＩＤ」に関連付けられている「Ｒｅｐｏｒｔｉｎｇ  Ｃｏｎｆｉｇｕｒａｔｉｏｎ」を抽出する。
【００３６】
また、Ｍｅａｓｕｒｅｍｅｎｔ  Ｒｅｐｏｒｔ送信部１３は、抽出した「Ｒｅｐｏｒｔｉｎｇ  Ｃｏｎｆｉｇｕｒａｔｉｏｎ」によって指定されている方法に基づいて「Ｍｅａｓｕｒｅｍｅｎｔ  Ｒｅｐｏｒｔ（測定報告）」を送信するように構成されている。
【００３７】
ここで、Ｍｅａｓｕｒｅｍｅｎｔ  Ｒｅｐｏｒｔ送信部１３は、第１セルにおける無線品質を含む「Ｍｅａｓｕｒｅｍｅｎｔ  Ｒｅｐｏｒｔ（第１測定報告）」の送信を開始した後に、第２セルにおける無線品質を含む「Ｍｅａｓｕｒｅｍｅｎｔ  Ｒｅｐｏｒｔ（第２測定報告）」の送信を開始した場合、「Ｍｅａｓｕｒｅｍｅｎｔ  Ｒｅｐｏｒｔ（第１測定報告）」の繰り返し送信及び「Ｍｅａｓｕｒｅｍｅｎｔ  Ｒｅｐｏｒｔ（第２測定報告）」の繰り返し送信を同じタイミングで行うように構成されている。
【００３８】
例えば、図４に示すように、Ｍｅａｓｕｒｅｍｅｎｔ  Ｒｅｐｏｒｔ送信部１３は、ｔ３において、セルＡ（第１セル）における無線品質を含む「Ｍｅａｓｕｒｅｍｅｎｔ  Ｒｅｐｏｒｔ（第１測定報告）」の送信を開始した後に、ｔ４において、セルＢ（第２セル）における無線品質を含む「Ｍｅａｓｕｒｅｍｅｎｔ  Ｒｅｐｏｒｔ（第２測定報告）」の送信を開始した場合、同じタイミングで、すなわち、ｔ５及びｔ７において、「Ｍｅａｓｕｒｅｍｅｎｔ  Ｒｅｐｏｒｔ（第１測定報告）」の繰り返し送信及び「Ｍｅａｓｕｒｅｍｅｎｔ  Ｒｅｐｏｒｔ（第２測定報告）」の繰り返し送信を行うように構成されている。
【００３９】
また、Ｍｅａｓｕｒｅｍｅｎｔ  Ｒｅｐｏｒｔ送信部１３は、第２セルにおける無線品質が「Ｅｖｅｎｔ（開始条件）」を満たす状態で「Ｔｉｍｅ  ｔｏ  Ｔｒｉｇｇｅｒ（監視期間）」が経過したことを検知していない場合には、「Ｍｅａｓｕｒｅｍｅｎｔ  Ｒｅｐｏｒｔ（第１測定報告）」の繰り返し送信が行われるタイミングが到来した場合であっても、「Ｍｅａｓｕｒｅｍｅｎｔ  Ｒｅｐｏｒｔ（第２測定報告）」の送信を開始しないように構成されていてもよい。
【００４０】
例えば、図５に示すように、Ｍｅａｓｕｒｅｍｅｎｔ  Ｒｅｐｏｒｔ送信部１３は、ｔ６においては、セルＣ（第２セル）における無線品質が「Ｅｖｅｎｔ（開始条件）」を満たす状態で「Ｔｉｍｅ  ｔｏ  Ｔｒｉｇｇｅｒ（監視期間）」が経過したことを検知していないため、セルＡ（第１セル）における無線品質を含む「Ｍｅａｓｕｒｅｍｅｎｔ  Ｒｅｐｏｒｔ（第１測定報告）」の繰り返し送信が行われるタイミングが到来した場合であっても、セルＣ（第２セル）における無線品質を含む「Ｍｅａｓｕｒｅｍｅｎｔ  Ｒｅｐｏｒｔ（第２測定報告）」の送信を開始しないように構成されている。
【００４１】
また、Ｍｅａｓｕｒｅｍｅｎｔ  Ｒｅｐｏｒｔ送信部１３は、「Ｍｅａｓｕｒｅｍｅｎｔ  Ｒｅｐｏｒｔ（第１測定報告）」の繰り返し送信のタイミングを決定するために用いられる「Ｒｅｐｏｒｔｉｎｇ  Ｉｎｔｅｒｖａｌ（報告間隔）」の起点を、「Ｍｅａｓｕｒｅｍｅｎｔ  Ｒｅｐｏｒｔ（第２測定報告）」の送信が開始されるタイミングに合わせるように構成されていてもよい。
【００４２】
例えば、図６に示すように、Ｍｅａｓｕｒｅｍｅｎｔ  Ｒｅｐｏｒｔ送信部１３は、セルＡ（第１セル）における無線品質を含む「Ｍｅａｓｕｒｅｍｅｎｔ  Ｒｅｐｏｒｔ（第１測定報告）」の繰り返し送信のタイミングを決定するために用いられる「Ｒｅｐｏｒｔｉｎｇ  Ｉｎｔｅｒｖａｌ（報告間隔）」の起点を、本来のｔ５から、セルＢ（第２セル）における無線品質を含む「Ｍｅａｓｕｒｅｍｅｎｔ  Ｒｅｐｏｒｔ（第２測定報告）」の送信が開始されるタイミング、すなわち、ｔ４に変更するように構成されていてもよい。
【００４３】
また、Ｍｅａｓｕｒｅｍｅｎｔ  Ｒｅｐｏｒｔ送信部１３は、「Ｒｅｐｏｒｔｉｎｇ  Ｉｎｔｅｒｖａｌ（報告間隔）」として、「Ｍａｘ  ＲＩ（最大報告間隔）」及び「Ｍｉｎ  ＲＩ（最小報告間隔）」を管理するように構成されていてもよい。
【００４４】
ここで、Ｍｅａｓｕｒｅｍｅｎｔ  Ｒｅｐｏｒｔ送信部１３は、「Ｍａｘ  ＲＩ（最大報告間隔）」によって決定される「Ｍｅａｓｕｒｅｍｅｎｔ  Ｒｅｐｏｒｔ（第１測定報告）」の繰り返し送信が行われるタイミングと「Ｍｉｎ  ＲＩ（最小報告間隔）」によって決定される「Ｍｅａｓｕｒｅｍｅｎｔ  Ｒｅｐｏｒｔ（第１測定報告）」の繰り返し送信が行われるタイミングとの間の期間が、「Ｍａｘ  ＲＩ（最大報告間隔）」によって決定される「Ｍｅａｓｕｒｅｍｅｎｔ  Ｒｅｐｏｒｔ（第２測定報告）」の繰り返し送信が行われるタイミングと「Ｍｉｎ  ＲＩ（最小報告間隔）」によって決定される「Ｍｅａｓｕｒｅｍｅｎｔ  Ｒｅｐｏｒｔ（第２測定報告）」の繰り返し送信が行われるタイミングとの間の期間と、少なくとも一部で重なる場合に、「Ｍｅａｓｕｒｅｍｅｎｔ  Ｒｅｐｏｒｔ（第１測定報告）」の繰り返し送信及び「Ｍｅａｓｕｒｅｍｅｎｔ  Ｒｅｐｏｒｔ（第２測定報告）」の繰り返し送信を同じタイミングで行うように構成されていてもよい。
【００４５】
図７の例では、「Ｍａｘ  ＲＩ（最大報告間隔）」によって決定されるセルＡにおける無線品質を含む「Ｍｅａｓｕｒｅｍｅｎｔ  Ｒｅｐｏｒｔ（第１測定報告）」の繰り返し送信が行われるタイミングは「ｔ７」であり、「Ｍｉｎ  ＲＩ（最小報告間隔）」によって決定されるセルＡにおける無線品質を含む「Ｍｅａｓｕｒｅｍｅｎｔ  Ｒｅｐｏｒｔ（第１測定報告）」の繰り返し送信が行われるタイミングは「ｔ５」である。
【００４６】
一方、「Ｍａｘ  ＲＩ（最大報告間隔）」によって決定されるセルＢにおける無線品質を含む「Ｍｅａｓｕｒｅｍｅｎｔ  Ｒｅｐｏｒｔ（第２測定報告）」の繰り返し送信が行われるタイミングは「ｔ８」であり、「Ｍｉｎ  ＲＩ（最小報告間隔）」によって決定されるセルＢにおける無線品質を含む「Ｍｅａｓｕｒｅｍｅｎｔ  Ｒｅｐｏｒｔ（第２測定報告）」の繰り返し送信が行われるタイミングは「ｔ６」である。
【００４７】
したがって、図７の例では、「ｔ５」と「ｔ７」との間の期間が、「ｔ６」と「ｔ８」との間の期間と一部で重なっているため、Ｍｅａｓｕｒｅｍｅｎｔ  Ｒｅｐｏｒｔ送信部１３は、同じタイミングで、すなわち、ｔ７において、セルＡにおける無線品質を含む「Ｍｅａｓｕｒｅｍｅｎｔ  Ｒｅｐｏｒｔ（第１測定報告）」の繰り返し送信及びセルＢにおける無線品質を含む「Ｍｅａｓｕｒｅｍｅｎｔ  Ｒｅｐｏｒｔ（第２測定報告）」の繰り返し送信を行うように構成されている。
【００４８】
また、Ｍｅａｓｕｒｅｍｅｎｔ  Ｒｅｐｏｒｔ送信部１３は、「Ｍａｘ  ＲＩ（最大報告間隔）」によって決定される「Ｍｅａｓｕｒｅｍｅｎｔ  Ｒｅｐｏｒｔ（第１測定報告）」の繰り返し送信が行われるタイミングと「Ｍｉｎ  ＲＩ（最小報告間隔）」によって決定される「Ｍｅａｓｕｒｅｍｅｎｔ  Ｒｅｐｏｒｔ（第１測定報告）」の繰り返し送信が行われるタイミングとの間の期間が、「Ｍａｘ  ＲＩ（最大報告間隔）」によって決定される「Ｍｅａｓｕｒｅｍｅｎｔ  Ｒｅｐｏｒｔ（第２測定報告）」の繰り返し送信が行われるタイミングと「Ｍｉｎ  ＲＩ（最小報告間隔）」によって決定される「Ｍｅａｓｕｒｅｍｅｎｔ  Ｒｅｐｏｒｔ（第２測定報告）」の繰り返し送信が行われるタイミングとの間の期間と、少なくとも一部で重ならない場合に、「Ｍｅａｓｕｒｅｍｅｎｔ  Ｒｅｐｏｒｔ（第１測定報告）」の繰り返し送信及び「Ｍｅａｓｕｒｅｍｅｎｔ  Ｒｅｐｏｒｔ（第２測定報告）」の繰り返し送信を同じタイミングで行わないように構成されていてもよい。
【００４９】
図８の例では、「Ｍａｘ  ＲＩ（最大報告間隔）」によって決定されるセルＡにおける無線品質を含む「Ｍｅａｓｕｒｅｍｅｎｔ  Ｒｅｐｏｒｔ（第１測定報告）」の繰り返し送信が行われるタイミングは「ｔ６」であり、「Ｍｉｎ  ＲＩ（最小報告間隔）」によって決定されるセルＡにおける無線品質を含む「Ｍｅａｓｕｒｅｍｅｎｔ  Ｒｅｐｏｒｔ（第１測定報告）」の繰り返し送信が行われるタイミングは「ｔ５」である。
【００５０】
一方、「Ｍａｘ  ＲＩ（最大報告間隔）」によって決定されるセルＢにおける無線品質を含む「Ｍｅａｓｕｒｅｍｅｎｔ  Ｒｅｐｏｒｔ（第２測定報告）」の繰り返し送信が行われるタイミングは「ｔ８」であり、「Ｍｉｎ  ＲＩ（最小報告間隔）」によって決定されるセルＢにおける無線品質を含む「Ｍｅａｓｕｒｅｍｅｎｔ  Ｒｅｐｏｒｔ（第２測定報告）」の繰り返し送信が行われるタイミングは「ｔ７」である。
【００５１】
したがって、図８の例では、「ｔ５」と「ｔ６」との間の期間が、「ｔ７」と「ｔ８」との間の期間と重なっていないため、Ｍｅａｓｕｒｅｍｅｎｔ  Ｒｅｐｏｒｔ送信部１３は、ｔ６において、セルＡにおける無線品質を含む「Ｍｅａｓｕｒｅｍｅｎｔ  Ｒｅｐｏｒｔ（第１測定報告）」の繰り返し送信を行い、ｔ８において、セルＢにおける無線品質を含む「Ｍｅａｓｕｒｅｍｅｎｔ  Ｒｅｐｏｒｔ（第２測定報告）」の繰り返し送信を行うように構成されている。
【００５２】
さらに、Ｍｅａｓｕｒｅｍｅｎｔ  Ｒｅｐｏｒｔ送信部１３は、「Ｍａｘ  ＲＩ（最大報告間隔）」によって決定される「Ｍｅａｓｕｒｅｍｅｎｔ  Ｒｅｐｏｒｔ（第１測定報告）」の繰り返し送信が行われるタイミングと「Ｍｉｎ  ＲＩ（最小報告間隔）」によって決定される「Ｍｅａｓｕｒｅｍｅｎｔ  Ｒｅｐｏｒｔ（第１測定報告）」の繰り返し送信が行われるタイミングとの間の期間内で、「Ｍｅａｓｕｒｅｍｅｎｔ  Ｒｅｐｏｒｔ（第２測定報告）」の送信が開始される場合、「Ｍｅａｓｕｒｅｍｅｎｔ  Ｒｅｐｏｒｔ（第１測定報告）」の繰り返し送信のタイミングを決定するために用いられる「Ｒｅｐｏｒｔｉｎｇ  Ｉｎｔｅｒｖａｌ（報告間隔）」の起点を、「Ｍｅａｓｕｒｅｍｅｎｔ  Ｒｅｐｏｒｔ（第２測定報告）」の送信が開始されるタイミングに合わせるように構成されていてもよい。
【００５３】
図９の例では、「Ｍａｘ  ＲＩ（最大報告間隔）」によって決定されるセルＡにおける無線品質を含む「Ｍｅａｓｕｒｅｍｅｎｔ  Ｒｅｐｏｒｔ（第１測定報告）」の繰り返し送信が行われるタイミングは「ｔ８」であり、「Ｍｉｎ  ＲＩ（最小報告間隔）」によって決定されるセルＡにおける無線品質を含む「Ｍｅａｓｕｒｅｍｅｎｔ  Ｒｅｐｏｒｔ（第１測定報告）」の繰り返し送信が行われるタイミングは「ｔ６」である。
【００５４】
一方、セルＣにおける無線品質を含む「Ｍｅａｓｕｒｅｍｅｎｔ  Ｒｅｐｏｒｔ（第２測定報告）」の送信が開始されるタイミングは「ｔ７」である。
【００５５】
したがって、図９の例では、「ｔ７」が、「ｔ６」と「ｔ８」との間の期間内にあるため、Ｍｅａｓｕｒｅｍｅｎｔ  Ｒｅｐｏｒｔ送信部１３は、セルＡにおける無線品質を含む「Ｍｅａｓｕｒｅｍｅｎｔ  Ｒｅｐｏｒｔ（第１測定報告）」の繰り返し送信のタイミングを決定するために用いられる「Ｒｅｐｏｒｔｉｎｇ  Ｉｎｔｅｒｖａｌ（報告間隔）」の起点を、本来のｔ８から、セルＣにおける無線品質を含む「Ｍｅａｓｕｒｅｍｅｎｔ  Ｒｅｐｏｒｔ（第２測定報告）」の送信が開始されるタイミング、すなわち、ｔ７に変更するように構成されていてもよい。
【００５６】
なお、Ｍｅａｓｕｒｅｍｅｎｔ  Ｒｅｐｏｒｔ送信部１３は、異なる「Ｍｅａｓｕｒｅｍｅｎｔ  ＩＤ」が適用されている複数のセルにおける無線品質を含む「Ｍｅａｓｕｒｅｍｅｎｔ  Ｒｅｐｏｒｔ」については、上述の条件を満たす場合であっても、同じタイミングで送信しないように構成されていてもよい。
【００５７】
なお、Ｍｅａｓｕｒｅｍｅｎｔ  Ｒｅｐｏｒｔ送信部１３は、異なる「Ｒｅｐｏｒｔｉｎｇ  Ｃｏｎｆｉｇｕｒａｔｉｏｎ」が適用されている複数のセルにおける無線品質を含む「Ｍｅａｓｕｒｅｍｅｎｔ  Ｒｅｐｏｒｔ」については、上述の条件を満たす場合であっても、同じタイミングで送信しないように構成されていてもよい。
【００５８】
これは、異なる「Ｒｅｐｏｒｔｉｎｇ  Ｃｏｎｆｉｇｕｒａｔｉｏｎ」では、「Ｒｅｐｏｒｔｉｎｇ  Ｉｎｔｅｒｖａｌ（報告周期）」や「Ｔｉｍｅ  ｔｏ  Ｔｒｉｇｇｅｒ（監視期間）」が異なる場合があるためである。
（本発明の第１の実施形態に係る移動通信システムの作用・効果）
本発明の第１の実施形態に係る移動通信システムによれば、Ｍｅａｓｕｒｅｍｅｎｔ  Ｒｅｐｏｒｔ送信部１３は、「Ｍｅａｓｕｒｅｍｅｎｔ  Ｒｅｐｏｒｔ（第１測定報告）」の繰り返し送信及び「Ｍｅａｓｕｒｅｍｅｎｔ  Ｒｅｐｏｒｔ（第２測定報告）」の繰り返し送信を同じタイミングで行うように構成されているため、測定対象のセルが増加した場合であっても、無駄な無線リソースの利用を回避することができる。
【００５９】
また、本発明の第１の実施形態に係る移動通信システムによれば、「Ｍｅａｓｕｒｅｍｅｎｔ  Ｒｅｐｏｒｔ（測定報告）」の繰り返し送信をまとめることで、「Ｓｃｈｅｄｕｌｉｎｇ  Ｒｅｑｕｅｓｔ（割当要求）」や「ＰＤＣＣＨ」のオーバヘッドを削減することができる。
【００６０】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００６１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００６３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００６４】
【図１】本発明の第１の実施形態に係る移動通信システムの全体構成図である。
【図２】本発明の第１の実施形態に係る移動局によって受信されるＭｅａｓｕｒｅｍｅｎｔ  Ｃｏｎｆｉｇｕｒａｔｉｏｎの一例を示す図である。
【図３】本発明の第１の実施形態に係る移動局の機能ブロック図である。
【図４】本発明の第１の実施形態に係る移動局によるＭｅａｓｕｒｅｍｅｎｔ  Ｒｅｐｏｒｔの送信タイミングの一例を示す図である。
【図５】本発明の第１の実施形態に係る移動局によるＭｅａｓｕｒｅｍｅｎｔ  Ｒｅｐｏｒｔの送信タイミングの一例を示す図である。
【図６】本発明の第１の実施形態に係る移動局によるＭｅａｓｕｒｅｍｅｎｔ  Ｒｅｐｏｒｔの送信タイミングの一例を示す図である。
【図７】本発明の第１の実施形態に係る移動局によるＭｅａｓｕｒｅｍｅｎｔ  Ｒｅｐｏｒｔの送信タイミングの一例を示す図である。
【図８】本発明の第１の実施形態に係る移動局によるＭｅａｓｕｒｅｍｅｎｔ  Ｒｅｐｏｒｔの送信タイミングの一例を示す図である。
【図９】本発明の第１の実施形態に係る移動局によるＭｅａｓｕｒｅｍｅｎｔ  Ｒｅｐｏｒｔの送信タイミングの一例を示す図である。
【図１０】従来技術に係る移動局によるＭｅａｓｕｒｅｍｅｎｔ  Ｒｅｐｏｒｔの送信タイミングの一例を示す図である。
【符号の説明】
【００６５】
ＵＥ…移動局
１１…Ｍｅａｓｕｒｅｍｅｎｔ  Ｃｏｎｆｉｇｕｒａｔｉｏｎ受信部
１２…測定部
１３…Ｍｅａｓｕｒｅｍｅｎｔ  Ｒｅｐｏｒｔ送信部
【要約】
【課題】無線リソースを効率的に利用して、「Ｅｖｅｎｔ  Ｔｒｉｇｇｅｒｅｄ  Ｐｅｒｉｏｄｉｃａｌ  Ｒｅｐｏｒｔｉｎｇ」方式のような「Ｍｅａｓｕｒｅｍｅｎｔ  Ｒｅｐｏｒｔ（測定報告）」を繰り返し送信する方法を実現する。
【解決手段】本発明に係る移動局ＵＥは、第１セルにおける無線品質を含む第１測定報告の送信を開始した後に、第２セルにおける無線品質を含む第２測定報告の送信を開始した場合、第１測定報告の繰り返し送信及び第２測定報告の繰り返し送信を同じタイミングで行うように構成されている。
【選択図】図４【図１】
0004361121.tif 000002
【図２】
0004361121.tif 000003
【図３】
0004361121.tif 000004
【図４】
0004361121.tif 000005
【図５】
0004361121.tif 000006
【図６】
0004361121.tif 000007
【図７】
0004361121.tif 000008
【図８】
0004361121.tif 000009
【図９】
0004361121.tif 000010
【図１０】
0004361121.tif 000011